(57)【要約】【課題】  合成抵抗値を検出することにより、機種判別の際に実際の機械より上位機種の制御を行うことなく、製品品質の向上を可能とする複合機を提供する。【解決手段】  電源投入時（ステップＳ２１）に、該合成抵抗値（シリーズ抵抗値）をADコンバータ（AD値）もしくはコンパレータ出力により参照し（ステップＳ２２）、機種設定抵抗値と比較する（ステップＳ２３）。該合成抵抗値（シリーズ抵抗値）が、機種設定値に該当する場合（ステップＳ２４／ＹＥＳ）、機種設定値に相当する機種の制御を行う（ステップＳ２５）。一方、機種設定値に該当しなかった場合（ステップＳ２４／ＮＯ）、機種が特定できない旨の警告を発し、動作を待機モードに固定する（ステップＳ２６）。【選択図】  図２
2006333393.tif 000002
【特許請求の範囲】
【請求項１】
同一基板で各機種群を制御する制御基板と、
前記制御基板以外の電気回路を構成する全てのまたは一部のユニットに設けられた機種判別用抵抗と、
各ユニットの前記機種判別用の抵抗をシリーズに接続する接続手段と、
シリーズで接続した抵抗群の合成抵抗値を検出する検出手段と、
前記検出抵抗値をADコンバータにより検出することで機種判別を行うことを特徴とする複合機。
【請求項２】
前記接続手段は、結線方法としてハーネスを用いることを特徴とする請求項１記載の複合機。
【請求項３】
前記検出抵抗値をコンパレータにより、比較検出することで機種判別を行うことを特徴とする請求項１又は２に記載の複合機。
【請求項４】
前記検出抵抗値が前記各機種群の設定値に当てはまらないとき、警告を発し、状態を待機モードに固定する手段を有することを特徴とする請求項１から３のいずれか１項に記載の複合機。
【発明の詳細な説明】
【技術分野】
【０００１】
本発明は、複合機に関し、特に任意の電気回路搭載ユニット上の機種判定用抵抗の合計によって、機種判別を行う手段を備えた複合機に関するものである。
【背景技術】
【０００２】
従来のコピー機能、プリンタ機能等複数の機能を有する複合機においては、機種開発効率向上のために、これら複数機種郡を同一基板で制御するための手段が提案されている。例えば、電源起動時に任意のハードＳＷまたは機種判別用メモリを参照して機種判別を行う手段を備えたものがある（特許文献１）。また、信号電圧の時間変化をデータ値に変換して、そのデータ値をＣＰＵ上で動作するソフトウェアで処理することにより、複数のハードウェアを判別することができる手段が提案されている（特許文献２）。
【特許文献１】特開２００４-６６５９８号公報
【特許文献２】特開２００１-１４２８３８号公報
【発明の開示】
【発明が解決しようとする課題】
【０００３】
しかしながら、従来のハードＳＷまたは機種判別用メモリの内容を参照した判別手段では、実際の機械より上位機種に設定した場合、上位機種の制御を行ってしまうという問題が生じる。
【０００４】
そこで、本発明は上記の点に鑑みてなされたものであって、複数機種で同じ制御基板を使用し、かつ、下位機種を上位機種に誤ることを防ぐことが可能な複合機を提供することを目的とする。
【課題を解決するための手段】
【０００５】
請求項１記載の発明は、同一基板で各機種群を制御する制御基板と、前記制御基板以外の電気回路を構成する全てのまたは一部のユニットに設けられた機種判別用抵抗と、各ユニットの前記機種判別用の抵抗をシリーズに接続する接続手段と、シリーズで接続した抵抗群の合成抵抗値を検出する検出手段と、前記検出抵抗値をADコンバータにより検出することで機種判別を行うことを特徴とする複合機である。
【０００６】
請求項２記載の発明は、請求項１記載の複合機において、前記接続手段は、結線方法としてハーネスを用いることを特徴とする。
【０００７】
請求項３記載の発明は、請求項１又は２記載の複合機において、前記検出抵抗値をコンパレータにより、比較検出することで機種判別を行うことを特徴とする。
【０００８】
請求項４記載の発明は、請求項１から３のいずれか１項記載の複合機において、前記検出抵抗値が前記各機種群の設定値に当てはまらないとき、警告を発し、状態を待機モードに固定する手段を有することを特徴とする。
【発明の効果】
【０００９】
本発明によれば、複数機種で同じ制御基板を使用し、かつ、下位機種を上位機種に誤ることを防ぐことができるため、製品品質の向上が可能となる。
【発明を実施するための最良の形態】
【００１０】
以下に、本発明の実施形態に係る複合機を、図面を用いて詳細に説明する。
【００１１】
図１は、本発明の実施形態に係る複合機のシステムを示したブロック図である。同図において、スキャナ１は原稿画像を所定の解像度で読みとる機能を有し、プロッタ２は記録画像を所定の解像度で記録出力する機能を有し、メカ制御部３はスキャナ１、プロッタ２等のメカトロ制御を行う機能を有し、操作表示部６は複合機を操作するために必要な各種のキーおよび各種の操作ガイダンス用メッセージや時刻表示等を表示する表示器等から成るものであり、プリンタ制御部７はパソコン等からの印刷命令を処理する機能を有し、システム制御部８は複合機内部の処理および各要素の処理を行う機能を有する。
【００１２】
メカ制御部３はバックアップデータ格納用メモリ（不揮発メモリ）４およびプログラム用メモリ５を搭載している。また、システム制御部８はバックアップデータ格納用メモリ（不揮発メモリ）９およびプログラム用メモリ１０を搭載している。
【００１３】
メカ制御部３とシステム制御部８以外の電気回路を構成している全てもしくは一部のユニットは、図示していないユニットも含めて、機種判別用の抵抗を搭載し、該抵抗はハーネス等の結線方法を介して全てシリーズに接続され、シリーズに接続された抵抗群は合成抵抗を形成している。
【００１４】
また、該合成抵抗は、図示していないメカ制御部３またはシステム制御部８上で抵抗値−電圧変換回路で抵抗値を電圧値に変換し、ADコンバータによる該電圧を読み込み値または基準電圧とのコンパレータによる比較で該電圧が機種郡のいずれに相当するかを判別できる構成になっている。
【００１５】
また、各ユニットに搭載される該抵抗は上位の機種ほど高抵抗、または、低抵抗に統一されて搭載されている。
【００１６】
図２は、本発明の実施形態に係る複合機の制御フローを示す図である。電源投入時（ステップＳ２１）に、該合成抵抗値（シリーズ抵抗値）をADコンバータ（AD値）もしくはコンパレータ出力により参照し（ステップＳ２２）、機種設定抵抗値と比較する（ステップＳ２３）。該合成抵抗値（シリーズ抵抗値）が、機種設定値に該当する場合（ステップＳ２４／ＹＥＳ）、機種設定値に相当する機種の制御を行う（ステップＳ２５）。一方、機種設定値に該当しなかった場合（ステップＳ２４／ＮＯ）、機種が特定できない旨の警告を発し、動作を待機モードに固定する（ステップＳ２６）。
【００１７】
上記実施形態により、複数機種で同じ制御基板を使用し、かつ、下位機種を上位機種に誤ることを防ぐことができるため、製品品質の向上が期待できる。また、検出抵抗値をコンパレータにより比較検出するため、低コスト化も期待できる。検出抵抗値が各機種群の設定値に当てはまらないとき、警告を発行し、状態を待機モードに固定する手段を備えるため、更なる製品品質の向上が期待できる。
【図面の簡単な説明】
【００１８】
【図１】本発明の実施形態に係る複合機のシステムを示したブロック図である。
【図２】本発明の実施形態に係る複合機の制御フローを示す図である。
【符号の説明】
【００１９】
１    スキャナ
２    プロッタ
３    メカ制御部
４、９    不揮発メモリ
５、１０    プログラム用メモリ
６    操作表示部
７    プリンタ制御部
８    システム制御部
【図１】
2006333393.tif 000003
【図２】
2006333393.tif 000004